(57)【要約】【課題】ビル等の壁面を簡易に緑化することが可能な緑化装置を提供する。【解決手段】ビル等の壁面１に、該壁面１より突設される取付金具２により取付けられる緑化パネル３と、該緑化パネル上に配設され、雨水を受ける集水トレイ４を設ける。緑化パネル３は、内部を防根シート８により仕切り、開口側に軽量土壌９を充填したトレイ６よりなり、土壌９には植物１０が植生される。防根シート８とトレイ底との間には、集水トレイ４から雨水が流入する保水樋１２が配設され、保水樋１２に溜まる水に浸漬されるフェルト状の織布よりなる導水材１４が水を吸引して土壌９に導き、土壌９への灌水を行う。【選択図】図１
2008148576.tif 000002
【特許請求の範囲】
【請求項１】
緑化植物が植生される土壌層と、該土壌層への灌水を行う灌水手段を有する、耐食性のある金属又は樹脂製のトレイよりなり、ビル等の壁面、塀、擁壁、高速道路の遮音壁などの垂直面に取付手段により縦横に取付けられる緑化パネルと、降雨時の雨水を受け、前記灌水手段に雨水を給水する給水手段を備えた集水トレイとよりなることを特徴とする緑化装置。
【請求項２】
上記灌水手段が前記トレイの土壌層とトレイ底との間に形成される空間スペースに配置され、雨水が溜められる断面略Ｕ形状の保水樋と、該保水樋の底部より上向きに突出して、その突出高さを保水樋より低くし、下方に位置する保水樋に給水する導水管と、一部が保水樋内の雨水に浸漬されて他部が土壌層に延出し、保水樋内の雨水を吸い上げて土壌層に導き灌水する吸水材とよりなり、給水手段が集水トレイ内の雨水を保水樋内に給水する給水管よりなることを特徴とする請求項１記載の緑化装置。
【請求項３】
上記灌水装置が前記トレイの土壌層とトレイ底との間に形成する空間スペースに配置される保水樋と、該保水樋より溢れ出る水を下方に位置する保水樋に導出する導水材と、一部が保水樋内の雨水に浸漬されて他部が土壌層に延出し、保水樋内の雨水を吸い上げて土壌層に導き灌水する吸水材とよりなり、給水手段が集水トレイ内の雨水を保水樋内に給水する給水管よりなることを特徴とする請求項１記載の緑化装置。
【請求項４】
上記トレイに複数の部材を組合せてなるトレイ補強用の補強具を設けたことを特徴とする請求項１ないし３のいずれかの請求項に記載の緑化装置。
【請求項５】
トレイにはトレイ底の適所に空気が出入りする空気孔を形成したことを特徴とする請求項１ないし４のいずれかの請求項に記載の緑化装置。
【発明の詳細な説明】
【技術分野】
【０００１】
本発明は、緑化装置、とりわけビル等の壁面、塀、擁壁、高速道路の遮音壁などの垂直面を緑化するための緑化装置に関する。
【背景技術】
【０００２】
近年、地球温暖化やヒートアイランド現象等の環境問題を背景に、美しく潤いのある都市空間の形成等の観点から、オフィスビルや学校等では屋上緑化が盛んに実施され、壁面緑化も行われている。
【０００３】
屋上緑化は、ビル等の屋上の一画に囲いを作って土壌を入れ、これに樹木を植栽することにより行われることが多いが、屋上の全域に土壌を入れて緑化植物を植栽し、その上にグレーチングを設置して、グレーチング上を歩行できるようにしたものも提案されている（特許文献１）。
【０００４】
ビル等の壁面の緑化に関しては、つる性植物を壁面に這わせたり、壁面に植栽ポットを取付けて行うのが一般的である。
【特許文献１】特開２００４−３２４１７４号
【発明の開示】
【発明が解決しようとする課題】
【０００５】
壁面緑化を壁面につる性植物を這わせることによって行う場合、壁面全域を緑化するのに長い年月が必要であり、壁面に植栽ポットを取付ける方法では壁面全域を緑化することが困難である。
【０００６】
本発明は、ビル等の壁面、塀、擁壁、高速道路の遮音壁などの垂直面の全域を簡易に緑化することが可能な垂直面の緑化装置を提供することを目的とする。
【課題を解決するための手段】
【０００７】
請求項１に係る発明の緑化装置は、緑化植物が植生される土壌層と、該土壌層への灌水を行う灌水手段を有する、耐食性のある金属又は樹脂製のトレイよりなり、ビル等の壁面、塀、擁壁、高速道路の遮音壁などの垂直面に取付手段により縦横に取付けられる緑化パネルと、降雨時の雨水を受け、前記灌水手段に雨水を給水する給水手段を備えた集水トレイとよりなることを特徴とし、
請求項２に係る発明の緑化装置は、請求項１に係る発明の灌水手段が前記トレイの土壌層とトレイ底との間に形成される空間スペースに配置され、雨水が溜められる断面略Ｕ形状の保水樋と、該保水樋の底部より上向きに突出して、その突出高さを保水樋より低くし、下方に位置する保水樋に給水する導水管と、一部が保水樋内の雨水に浸漬されて他部が土壌層に延出し、保水樋内の雨水を吸い上げて土壌層に導き灌水する吸水材とよりなり、給水手段が集水トレイ内の雨水を保水樋内に給水する給水管よりなることを特徴とする。
【０００８】
請求項３に係る発明の緑化装置は、請求項１に係る発明の灌水装置が前記トレイの土壌層とトレイ底との間に形成する空間スペースに配置される保水樋と、該保水樋より溢れ出る水を下方に位置する保水樋に導出する導水材と、一部が保水樋内の雨水に浸漬されて他部が土壌層に延出し、保水樋内の雨水を吸い上げて土壌層に導き灌水する吸水材とよりなり、給水手段が集水トレイ内の雨水を保水樋内に給水する給水管よりなることを特徴とする。
【０００９】
請求項４に係る発明の緑化装置は、請求項１ないし３に係る発明のトレイに複数の部材を例えば格子状、ハニカム状等に組合せたトレイ補強用の補強具を設けたことを特徴とする。
請求項５に係る発明の緑化装置は、請求項１ないし４に係る発明におけるトレイにはトレイ底の適所に空気が出入りする空気孔を形成したことを特徴とする。
【発明の効果】
【００１０】
請求項１に係る発明によると、植栽された緑化植物が十分に生育し、土壌を覆うように繁茂した状態で緑化パネルをビル等の壁面、塀、擁壁、高速道路の遮音壁などの垂直面に取付けると、取付けるだけで垂直面への施工が行われ、施工を終えると同時に垂直面が緑で覆われて、美しい景観を構築できるようになること、植物が十分に生育すると、張り出した根が土壌を保持してその脱落を防止できること、垂直面に設置されて降雨による灌水が行われにくい緑化パネルの土壌に対し、雨水による灌水を行うことができること、等の効果を奏する。なお、集水トレイには干天時においても灌水が行えるようにするため水道水の配管をしておき、必要時には集水トレイに水道水を供給できるようにしておくのが望ましい。
【００１１】
請求項２に係る発明によると、集水トレイの水が給水管を通して保水樋に給水され、貯えられる。そして給水により増水する保水樋での水位が導水管の突出高さを超えると、導水管を通して下方に流出し、下方に位置する保水樋に給水される。その下方に位置する保水樋に対しても同様にして給水が行われる。吸水材は、例えばフェルト状の編織布、不織布、ヘチマ状ないしスポンジ状の多孔質材により形成され、これにより保水樋内の水が毛管現象により吸い上げられて土壌に導かれ、灌水される。
【００１２】
請求項３に係る発明によると、保水樋に上述するようにして給水され、増水した水が保水樋を超えて溢れるようになると、導水材を通って下方に位置する保水樋への給水が行われ、更にその下方に位置する保水樋に対しても同様にして給水が行われる。そして各保水樋より吸水材で毛管現象により吸い上げられた水が土壌に導かれ、灌水を行う。導水材及び吸水材には、前述の吸水材と同様のもの、例えばフェルト状の編織物、不織布、ヘチマ状ないしスポンジ状の多孔質材が用いられる。
【００１３】
上述する緑化パネルは、トレイが十分な強度を有するか、或いはトレイに十分な強度がなくても強度のあるビル等の壁面や塀、擁壁、高速道路の遮音壁などの垂直面に該垂直面との間に間隙を有することなく直接取付けられる場合には、強風にも耐えられるが、トレイに十分な強度がなく、上記垂直面と適宜の間隔を存して取付けられる場合には、強風により緑化パネルが変形したり、破損したりするおそれがある。この点、請求項４に係る発明のように、トレイを補強具により補強すると、十分な耐風強度を持たせることができるようになる。
請求項５に係る発明によると、トレイ底に形成した空気孔を通して流通する空気により植物の根に酸素が供給されるようになり、これにより植物の根腐れを防ぐことができる。
【発明を実施するための最良の形態】
【００１４】
以下、本発明の実施形態の緑化装置について図面により説明する。
図１に示す緑化装置は、ビル等の壁面１に取付手段により、図示するように個別に或いは図示していないが、一対ずつ組合せて壁面１に沿わせて縦向きに連設して取付けられる緑化パネル３と、該緑化パネル上に横向きに配置して取付けられ、降雨時の雨水を受ける集水トレイ４よりなり、以下、緑化パネル３及び集水トレイ４について順に詳述する。
【００１５】
緑化パネル３は、取付金具２と、該取付金具２と共に取付手段を構成するボルト等の止着具により、或いは溶接又は接着にて取付けられ、ステンレスや亜鉛メッキ鋼板等の耐食性を有する金属若しくはＦＲＰ等の硬質樹脂よりなるトレイ６と、ベアリングバー７ａとツイストバー７ｂを格子状に組合せ、上記トレイ６に被せて取付けられる補強具としてのグレーチング７よりなり（図２）、トレイ６は内部が底面と平行をなす防根シート８により仕切られ、開口側には土壌、好ましくは軽量土壌９が充填されて、防根シート８より開口側を土壌層とし、該土壌層には植物１０が植生されている。そして底面には図示していないが、空気が出入りする空気孔が適所に形成されている。
【００１６】
一方、防根シート８とトレイ底との間に形成される空間スペース１１には、灌水手段が配置されている。この灌水手段は図３に示すように断面略Ｕ形状をなして横方向に延び、トレイ底の任意の箇所に固定手段、例えばボルトにより止着して固定されるか、接着剤により接着して固定され、或いは溶接にて固定される保水樋１２と、該保水樋１２の底部より嵌挿されて上向きに突出し、その突出高さを保水樋１２より低くした導水管１３と、一側部を保水樋１２に溜まる水に浸漬し、防根シート８を通して他側部を土壌内に延出させたフェルト状の布よりなる給水材１４よりなり、保水樋１２に流入する水の水位が導水管１３の上端を越えると、導水管１３に流入して下方の保水樋１２、更にはその下方の保水樋１２へと順次給水されるようになっている。導水材１４は保水樋１２に溜まる水を毛管現象により吸い上げて土壌９に導き、土壌９への灌水を行うようになっている。
【００１７】
補強具として用いられる上述のグレーチング７は、トレイ６に被せて土壌９の前面に取付けられているが、取付箇所はこれに限定されるものではなく、例えば空間スペース１１内やトレイ６の外側（図１に示すトレイ６の右側）などトレイ６を補強できる箇所であればどのような箇所に取付けてもよい。
グレーチング７はまた、トレイ６を補強する機能を有する他の任意の補強具、例えば複数の部材を任意の角度で交差させたもの、ハニカム状に組合せたものなどに代えることができる。
【００１８】
上述する灌水手段は図示する例では縦方向に等間隔で複数配置されているが、１つであってもよい。いずれの場合でも上下に隣接する緑化パネル３には、灌水手段の導水管１３が通され、上位に位置する緑化パネル３の保水樋１２より下位に位置する緑化パネル３の保水樋１２に給水が行われるようにしてある。
【００１９】
集水トレイ４は、最上位の緑化パネル３に通される、給水手段としての導水管１５を下向きに突設し、降雨時に集水トレイ４に降り注ぐ雨水を受け、更にはまた図示しない他の樋や屋上のドレンから流入する雨水を受け、導水管１５より灌水手段の保水樋１２に雨水を給水するようになっている。なお、集水トレイ４には干天対策のため水道管を配管し、水道水を供給できるようにしておくのが望ましい。
【００２０】
図４は、灌水手段の別の例を示すもので、上述する保水樋１２と同様、断面略Ｕ形状をなして横方向に延び、トレイ６底に適当間隔で固定される保水樋１７と、該保水樋１7に装着されるスポンジ等よりなる保水材１８と、保水樋１７より溢れ出る水を下方に位置する保水樋１７に伝わせて導出する、フェルト状の布よりなる導水材１９と、上述する導水材１４と同様、一側部を保水樋１７に溜まる水に浸漬し、防根シート８を通して他側部を土壌９内に延出させ、保水樋１７に溜まる水を毛管現象により吸い上げて土壌９に導くフェルト状の布よりなる吸水材２１とよりなっている。図中、２３はトレイ底に形成された空気が流通する空気孔である。
【００２１】
本実施形態の灌水手段では、吸水材２１が導水材１９とは別個に独立して設けられているが、導水材１９と吸水材２１に同じ材料を使用する場合は、吸水材２１を導水材１９の中途より分岐して延出するようにしてもよい。また導水材１９に代えて上述の導水管１３を設け、該導水管１３を通して下位の保水樋１７に給水させるようにすることもできる。
【図面の簡単な説明】
【００２２】
【図１】本発明に係る緑化装置の断面図
【図２】図１に示す緑化装置の緑化パネルの斜視図
【図３】緑化パネルの要部の拡大断面図
【図４】緑化パネルの別の態様の要部の拡大断面図
【符号の説明】
【００２３】
１・・ビル等の壁面
２・・取付金具
３・・緑化パネル
４・・集水トレイ
６・・トレイ
７・・グレーチング
８・・防根シート
９・・軽量土壌
１０・・植物
１１・・空間スペース
１２、１７・・保水樋
１３、１５・・導水管
１４、２１・・吸水材
１８・・保水材
１９・・導水材
２３・・空気孔
【図１】
2008148576.tif 000003
【図２】
2008148576.tif 000004
【図３】
2008148576.tif 000005
【図４】
2008148576.tif 000006